【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
仕分け装置における郵便物取扱プロセスを最適化する方法であって、前記方法は、
前記仕分け装置の複数の第１の仕分け出口（Ｓ１〜Ｓ７８）をそれぞれ複数の第１の宛先（Ａ１〜Ｚ３）に割当てるとともに前記仕分け装置の少なくとも１つのその他の仕分け出口（Ｓ７９）を複数の第２の宛先（Ａ’１〜Ｚ’３）に割当てる第１の機械仕分けサイクルに、郵便物を投入するステップ（１１）と、
郵便物を物理的に分離するための分離体をそれぞれ、前記仕分け装置を通して、前記第１の仕分け出口（Ｓ１〜Ｓ７８）に送るステップ（１２）と、
前記その他の仕分け出口（Ｓ７９）からの郵便物を前記仕分け装置の入口に再循環させるステップ（１３）と、
前記複数の第１の仕分け出口（Ｓ１〜Ｓ７８）をそれぞれ前記複数の第２の宛先（Ａ’１〜Ｚ’３）に割当てる第２の仕分けサイクルに、前記その他の仕分け出口からの郵便物を、投入するステップ（１４）とを含むことを特徴とする、方法。
【請求項２】
郵便物は、第１の郵便物取扱センターに集められそこで仕分けされ、収容容器に入れられて、前記第１の郵便物取扱センターと通信するＭの第２の郵便物取扱センターに搬送され、前記第１の郵便物取扱センターにおける郵便物の仕分けは、前記郵便物を、Ｎの仕分け出口を有する仕分け装置において分類することを含み、前記出口が各々少なくとも１つの収容容器を使用することにより、郵便物が収容されたＭの収容容器グループが形成され、これらＭの収容容器グループはそれぞれ前記Ｍの第２の郵便物取扱センターに宛てられ、
前記仕分け装置は、１つ以上の仕分けサイクルによって制御されることにより、第２の郵便物取扱センター宛ての各収容容器グループを、前記第２の郵便物取扱センターと関連付けられた複数の宛先に従って前記容器に収容された郵便物が区別されるように分割し、前記方法は、
ａ）郵便物を仕分けするための第１の仕分けサイクルに備えて前記仕分け装置を準備するステップを含み、前記仕分け装置の仕分け出口は、複数の第１の仕分け出口と、前記第１の仕分け出口と異なる少なくとも１つの第２の仕分け出口とを含み、前記準備は、
ａ．１  Ｐの第１の仕分け出口をそれぞれ、対応する１つの第２の郵便物取扱センターと関連付けられたＰの第１の宛先に割当て、この割当てを、第２の郵便物取扱センター各々に対して繰返すこと（１０）を含み、Ｍ×ＰはＮよりも小さく、Ｐは１よりも大きく、ある第２の郵便物取扱センターに割当てられたＰの第１の仕分け出口は、別の第２の郵便物取扱センターに割当てられたＰの第１の仕分け出口と異なっており、前記準備はさらに、
ａ．２  前記第２の仕分け出口を、Ｍの第２の郵便物取扱センターそれぞれに関連付けられたＭ×Ｐの第２の宛先に割当てることを含み、前記方法はさらに、
ｂ）前記郵便物を、前記仕分け装置における前記第１の仕分けサイクルに投入することにより、各第１の仕分け出口の少なくとも１つの収容容器に、第２の郵便物取扱センターと関連付けられた第１の宛先に対応する郵便物を集め、前記第２の仕分け出口に、前記Ｍ×Ｐの第２の宛先に対応する郵便物を集めるステップ（１１）と、
ｃ）Ｍ×Ｐの分離体を前記仕分け装置に供給して前記分離体を前記第１の仕分け出口それぞれにおいて充填されたＭ×Ｐの収容容器それぞれに配置するステップ（１２）と、
ｄ）郵便物を仕分けするための第２の仕分けサイクルに備えて前記仕分け装置を準備するステップとを含み、前記準備は、
ｄ．１  前記仕分け装置の前記Ｍ×Ｐの第１の仕分け出口をそれぞれ、前記Ｍの第２の郵便物取扱センターと関連付けられた前記Ｍ×Ｐの第２の宛先に割当てることと、
ｄ．２  前記第１の仕分けサイクル中に前記第２の仕分け出口で受けた郵便物を、前記仕分け装置の入口に再循環させること（１３）とを含み、前記方法はさらに、
ｅ）前記再循環させた郵便物を前記仕分け装置における前記第２の仕分けサイクルに投
入することにより、第１の仕分け出口各々で充填された各収容容器に、第２の宛先に対応する郵便物を集めるステップ（１４）を含み、第２の宛先に対応するこれら郵便物は、前記収容容器内の分離体によって、第１の宛先に対応する郵便物と分離されることを、特徴とする、請求項１に記載の方法。
【請求項３】
前記仕分け出口は、前記第１および第２の仕分け出口と異なる第３の仕分け出口を含み、
・前記ステップａ．２）において、前記準備はさらに、前記第３の仕分け出口を、前記Ｍの第２の郵便物取扱センターそれぞれと関連付けられたＭ×Ｐの第３の宛先に割当てることを含み、
・前記ステップｂ）において、前記郵便物を前記第１の仕分けサイクルに投入することにより、前記第３の仕分け出口に、前記Ｍ×Ｐの第３の宛先に対応する郵便物を集め、
前記方法はさらに、前記ステップｅ）に続いて、
ｆ）Ｍ×Ｐの他の分離体を前記仕分け装置に供給して前記分離体を前記第１の仕分け出口それぞれにおいて充填されたＭ×Ｐの収容容器それぞれに配置するステップ（１５）と、
ｇ）郵便物を仕分けするための第３の仕分けサイクルに備えて前記仕分け装置を準備するステップとを含み、前記準備は、
ｇ．１  前記仕分け装置の前記Ｍ×Ｐの第１の仕分け出口をそれぞれ、前記Ｍの第２の郵便物取扱センターと関連付けられた前記Ｍ×Ｐの第３の宛先に割当てることと、
ｇ．２  前記第１の仕分けサイクル中に前記第３の仕分け出口で受けた郵便物を、前記仕分け装置の入口に再循環させること（１６）とを含み、前記方法はさらに、
ｅ）前記再循環させた郵便物を前記仕分け装置における前記第３の仕分けサイクルに投入することにより、第１の仕分け出口各々で充填された各収容容器に、第３の宛先に対応する郵便物を集めるステップ（１７）を含み、第３の宛先に対応するこれら郵便物は、前記収容容器内の分離体によって、第２の宛先に対応する郵便物と分離される、請求項２に記載の方法。
【請求項４】
Ｐは、比率Ｎ／Ｍに基づいて求められる、請求項２または３に記載の方法。
【手続補正２】
【補正対象書類名】明細書
【補正対象項目名】００１８
【補正方法】変更
【補正の内容】
【００１８】
より具体的には、本発明は、郵便物取扱プロセスを最適化する方法を提供し、郵便物は、第１の郵便物取扱センターに集められそこで仕分けされ、収容容器に入れられて、第１の郵便物取扱センターと通信するＭの第２の郵便物取扱センターに搬送され、第１の郵便物取扱センターにおける郵便物の仕分けは、郵便物を、Ｎの仕分け出口を有する仕分け装置において分類することを含み、この出口が各々少なくとも１つの収容容器を使用することにより、郵便物が収容されたＭの収容容器グループが形成され、これらＭの収容容器グ
ループはそれぞれＭの第２の郵便物取扱センターに宛てられ、仕分け装置は、１つ以上の仕分けサイクルによって制御されることにより、第２の郵便物取扱センター宛ての各収容容器グループを、第２の郵便物取扱センターと関連付けられた複数の宛先の関数として上記容器に収容された郵便物が区別されるように分割し、この方法は、
ａ）郵便物を仕分けするための第１の仕分けサイクルに備えて仕分け装置を準備するステップを含み、この仕分け装置の仕分け出口は、複数の第１の仕分け出口と、第１の仕分け出口と異なる少なくとも１つの第２の仕分け出口とを含み、この準備は、
ａ．１  Ｐの第１の仕分け出口をそれぞれ、対応する１つの第２の郵便物取扱センターと関連付けられたＰの第１の宛先に割当て、この割当を、第２の郵便物取扱センター各々に対して繰返すことを含み、Ｍ×ＰはＮよりも小さく、Ｐは１以上であり、ある第２の郵便物取扱センターに割当てられたＰの第１の仕分け出口は、別の第２の郵便物取扱センターに割当てられたＰの第１の仕分け出口と異なっており、上記準備はさらに、
ａ．２  上記第２の仕分け出口を、Ｍの第２の郵便物取扱センターそれぞれに関連付けられたＭ×Ｐの第２の宛先に割当てることを含み、この方法はさらに、
ｂ）郵便物を、仕分け装置における上記第１の仕分けサイクルに投入することにより、各第１の仕分け出口の少なくとも１つの収容容器に、第２の郵便物取扱センターと関連付けられた第１の宛先に対応する郵便物を集め、第２の仕分け出口に、Ｍ×Ｐの第２の宛先に対応する郵便物を集めるステップと、
ｃ）Ｍ×Ｐの分離体を仕分け装置に供給して分離体を第１の仕分け出口それぞれにおいて充填されたＭ×Ｐの収容容器それぞれに配置するステップと、
ｄ）郵便物を仕分けするための第２の仕分けサイクルに備えて仕分け装置を準備するステップとを含み、この準備は、
ｄ．１  仕分け装置のＭ×Ｐの第１の仕分け出口をそれぞれ、Ｍの第２の郵便物取扱センターと関連付けられたＭ×Ｐの第２の宛先に割当てることと、
ｄ．２  第１の仕分けサイクル中に第２の仕分け出口で受けた郵便物を、仕分け装置の入口に再循環させることとを含み、この方法はさらに、
ｅ）上記再循環させた郵便物を仕分け装置における第２の仕分けサイクルに投入することにより、第１の仕分け出口各々で充填された各収容容器に、第２の宛先に対応する郵便物を集めるステップを含み、第２の宛先に対応するこれら郵便物は、収容容器内の分離体によって、第１の宛先に対応する郵便物と分離されることを、特徴とする。
【手続補正３】
【補正対象書類名】明細書
【補正対象項目名】００３４
【補正方法】変更
【補正の内容】
【００３４】
図３に示されるように、第１の仕分けサイクルのためのステップ１０では、仕分け出口Ｓ１、Ｓ２、Ｓ３がそれぞれ宛先Ａ１、Ａ２、Ａ３に割当てられる。仕分け出口Ｓ４、Ｓ５、Ｓ６はそれぞれ宛先Ｂ１、Ｂ２、Ｂ３に割当てられる。仕分け出口は、Ｚ１、Ｚ２、Ｚ３に割当られる仕分け出口Ｓ７６、Ｓ７７、Ｓ７８まで、同様に割当てられる。